(57)【要約】【課題】  ヘッドホンを収納して持ち運ぶ時の、ケーブルの絡み合いをより確実に防止する、後付けタイプのスリーブとスライダーを提供する。【解決手段】  ヘッドホンの音響機器に接するプラグ端子からの本ケーブルと耳への分枝ケーブル２本の分岐点に、２本の分枝ケーブルの向きをＵターンさせる空間（１０）・本ケーブルと２本の分枝ケーブルを通す平行な貫通孔３穴（９ａ、９ｂ、９ｃ）を有するスリーブ（１）と、本ケーブルと分枝ケーブル２本を通す貫通孔３穴（９ａ、９ｂ、９ｃ）を有するスライダー２つ以上（２ａ、２ｂ）を後付けする。ヘッドホンを収納して持ち運ぶ時にはスライダーをスライドして３本のケーブルを揃え束ねることで絡み合いを防止する。スリーブとスライダーのＵターンさせる空間と貫通孔にはスリットを設ける等、後からケーブルを入れられる構造にして後付けできるようにする。【選択図】図１
2014082727.tif 000002
【特許請求の範囲】
【請求項１】
ヘッドホンの音響機器に接するプラグ端子からの本ケーブルと耳への分枝ケーブル２本の分岐点に後付けする、２本の分枝ケーブルの向きをＵターンさせる空間と本ケーブルと２本の分枝ケーブルを通す平行な貫通孔３穴を有する後付けタイプのスリーブ。
【請求項２】
上記請求項１のスリーブに続けてヘッドホンケーブルに後付けする、本ケーブルと分枝ケーブル２本を通す平行な貫通孔３穴を有する後付けタイプのスライダー。
【請求項３】
上記請求項１のスリーブと請求項２のスライダー２つ以上をヘッドホンケーブルに後付けすることにより、ヘッドホンを収納して持ち運ぶ時にはスライダーをスライドして３本のケーブルを揃え束ねることで絡み合いを防止し、ヘッドホン使用時にはスリーブにスライダーをくっつけて一体化し邪魔にならないようにした後付けタイプのスリーブとスライダーの絡み防止構造。
【請求項４】
上記請求項１のスリーブと請求項２のスライダーのケーブルをＵターンさせる空間とケーブルの貫通孔３穴にそれぞれスリットを設け、ヘッドホンケーブルに後付けできるようにした構造。
【発明の詳細な説明】
【技術分野】
【０００１】  本発明は、携帯用音響機器等に用いられるヘッドホンケーブルの絡み合いを防止するための、ヘッドホンケーブルに後付けするスリープとスライダーに関するものである。
【背景技術】
【０００２】  近年、携帯用音響機器（例えば、カセットプレーヤー、ＭＤプレーヤー、ＣＤプレーヤー、携帯電話など）が広く普及している。このような携帯用音響機器は、本体に接続したヘッドホン（音響メーカー等により様々な名称が用いられるが、本明細書では、両耳に当てるステレオフォンやステレオホンと耳に差し込む形式のイヤフォンやイヤホンなどを含む）を介して音楽などの音を聞く方式が一般的である。プラグ端子から両耳に接するヘッドホン本体まで、接続する２本のケーブルで構成されており、プラグ端子側においては一体化され、途中から分岐して右耳及び左耳用ヘッドホン本体にそれぞれ接続するようになっている。これらの携帯用音響機器及びそれに接続されるヘッドホンは、一般に歩行時や電車などの乗車時に使用されている。その際、携帯用音響機器は鞄やポケットの中に収納されており、音響機器に接続したヘッドホンを介して音を聞くのが通常である。そして、使用を止める時には、両耳からヘッドホン本体を外し、鞄やポケットに収納する。再度音響機器を使用する時には、鞄やポケットからヘッドホンを取り出して使用する。【０００３】  しかし、従来のヘッドホンは、鞄やポケットなどに収納して持ち運ぶ際、プラグ端子側の本ケーブルや左右に分かれている耳側の分枝ケーブルとが絡まったり結ばれたりするので、いちいちほどいてから使用しなければならない欠点があった。
【先行技術文献】
【０００４】  ヘッドホンのケーブルの絡み防止構造としては、特開平９−３０７９８１の左右の耳に付けるヘッドホン本体を固定具で止める、特開平９−８４１６９のヘッドホン本体をフックで固定する、実新願平７−２０７４のヘッドホン本体を引っかけ具で固定などが挙げられる。しかし、これらはヘッドホン本体同士を固定するだけなのでケーブルの絡まりを充分に防止するとは言えない。また、特開２００８−３０１４６１や特開２００５−２５２５７９はヘッドホン本体に加えプラグ端子も固定するものであるが、これらもまだケーブルは自由に動くので絡まることがあり充分とは言えない。また特開２００１−２９２２１８のケーブルを巻取具で巻き取る、特開２０００−１０２０８６の耳側のケーブルの長さを変え長いケーブルを支持片で本ケーブルに固定する、実新願平９−７２６５の開閉筒によって突起部付きのケーブルとへこみ部付きのケーブルを一体化させる、特開平１０−３０８９９２のヘッドホンケーブルを筒状の袋に入れる、特開２００４−０５６６３６の分枝ケーブルをファスナーにして合体するは、ケーブルの絡み防止としては良いものの、固定するのに時間が掛かったり仕組みが複雑で製造コストが掛かったりしている。また、本特許出願人が特許出願中の出願２０１１−２２０５０７のヘッドのホンケーブルの絡み防止構造は、従来より確実・簡単に絡み合いを防止することができるがヘッドホン全体の構造となっているため、既に使用中のヘッドホンケーブルに後から付けて利用することはできない。
【特許文献】
【０００５】
【特許文献１】特開平９−３０７９８１
【特許文献２】特開平９−８４１６９
【特許文献３】特開２００８−３０１４６１
【特許文献４】特開２００５−２５２５７９
【特許文献５】特開２００１−２９２２１８
【特許文献６】特開２０００−１０２０８６
【特許文献７】特開平１０−３０８９９２
【特許文献８】特開２００４−０５６６３６
【特許文献９】出願２０１１−２２０５０７
【実新願文献】
【０００６】
【実新願文献１】
実新願平７−２０７４
【実新願文献２】
実新願平９−７２６５
【発明の概要】
【発明が解決しようとする課題】
【０００７】  従来のヘッドホンのケーブルは、次のような欠点がある。
ヘッドホンを収納して持ち運ぶ時に、鞄やポケットの中でヘッドホンのケーブルが絡み合いを起こしてしまう。そのため、ヘッドホンを鞄やポケットから取り出した後は、絡み合いを解いて使用する必要がある。この絡み合いを解す作業は煩雑であり、また無意義な操作であり、無理にケーブルを引っ張ったりするとケーブルやヘッドホン本体の損傷をもたらす場合もある。【０００８】  本発明はかかる従来の課題を解消するためになされたもので、ヘッドホンのケーブルの絡み合いを防止する方法を提供することを目的とする。従来あったヘッドホンの絡み防止構造は、絡み防止が確実でない・固定に時間が掛かる・仕組みが複雑といった欠点があるので、低コストで簡単に取り付けることのできる絡み合いをより確実に防止する後付けタイプのスリーブとスライダーを提供することを目的とする。
【課題を解決するための手段】
【０００９】  ヘッドホンケーブルの絡み合いは、柔軟なケーブルの先端に設けられたＬ字型をした２つのヘッドホン本体（３）とプラグ端子（６）が、鞄やポケットなどの中でそれぞれ自由に移動すること、ケーブルが長いため自由に移動し互いに絡まり合うことが挙げられる。この自由な移動を抑制すればケーブルの絡み合いを防止することができると考えた。そこで次のような後付けできる絡み防止構造を提案する。
（イ）音響機器に接するプラグ端子からの本ケーブルと耳に接するハウジングへの分枝ケ      ーブル２本の分岐点に、本ケーブルと向きをＵターンさせた２本の分枝ケーブルを      通す平行な貫通孔３穴を有する後付けスリーブを付ける。その後付けスリーブは貫      通孔３穴に後からケーブルを入れられるよう、例えば穴に添ってスリットを設ける      。
（ロ）スリーブに続けて、本ケーブルと分枝ケーブル２本を通す平行な貫通孔３穴を有す      る後付けスライダーを２つ以上付ける。その後付けスライダーも貫通孔３穴には後      からケーブルを入れられるよう、例えば穴に添ってスリットを設ける。
（ハ）スリーブとスライダー２つ以上をヘッドホンケーブルに後付けすることにより、ヘ      ッドホンを収納して持ち運ぶ時にはスライダーをヘッドホン本体と中間点にスライ      ドして３本のケーブルを揃え束ねることで絡み合いを防止し、ヘッドホン使用時に      はスリーブにスライダーをくっつけ一体化し邪魔にならないようにして使用する。
【発明の効果】
【０００１０】  本発明のヘッドホンケーブルの後付け絡み防止スリーブとスライダーによれば、次のような効果が得られる。
（イ）ヘッドホンを鞄やポケットに収納して持ち運ぶ時には、スライダーをヘッドホン本      体近くと中間点などにスライドするだけで３本のケーブル（プラグ端子側本ケーブ      ル１本・ヘッドホン本体側分枝ケーブル２本）を簡単に揃えて束ねることができ、      ヘッドホン本体の自由な移動も制約することができるので、鞄やポケットの中で振      動を受けても、ケーブルやヘッドホン本体が自由に動くことがなく、ケーブルの絡      み合いをより確実に防止することができる。そのため、絡み合いを解す手間を省く      ことができ、ケーブルやヘッドホンの損傷も低減することができる。
（ロ）ヘッドホンを使用するときには、スライダーをスリーブのところまでスライドする      ので、スリーブとスライダーが一体化してヘッドホン使用の邪魔にならない。
（ハ）ケーブルやヘッドホン本体を固定する作業は、スライダーをスライドするだけなの      で簡単で、手で探ってまとめることもでき、電車の混雑時・暗い所・歩行時に直接      目で見なくても簡単にケーブルを束ね収納することができる。
（ニ）ヘッドホン着装時、スライダーをスライドする位置を変えることでケーブルの長さ      調節をすることもでき、ケーブルが邪魔にならない。
（ニ）スリーブとスライダーの材質や色を工夫することで、ケーブルと一体化し目立たな      くすることや、色や形を工夫してデサイン性を増すこともできる。
（ホ）貫通孔にスリットを設ける等の後付けの構造なので、既に持っている様々な会社の      Ｙ型ヘッドホンケーブルに取り付けて使用できるのでエコであるし、違うデザイン      の物に取り替えて楽しむこともできる。低コストに製造することも可能である。
【図面の簡単な説明】
【００１１】
【図１】本発明の後付け絡み防止スリーブとスライダーを付けたヘッドホンを収納して持ち運ぶ時の説明図
【図２】スリーブとスライダーを付けたヘッドホンの着装状態を示す説明図
【図３】ヘッドホン着装状態時の同スリーブとスライダーの斜視図
【図４】同スライダーをスリーブからケーブルに沿って少しスライドした時の斜視図
【図５】同スリーブとスライダーの平面図
【図６】同スリーブとスライダーの正面図
【図７】同スリーブとスライダーの右側面図
【図８】同スリーブとスライダーの左側面図
【図９】同スリーブとスライダーの背面図
【図１０】同スリーブとスライダーの底面図
【図１１】図５におけるＡ−Ａ’線断面図
【図１２】図５におけるＢ−Ｂ’線断面図
【図１３】図５におけるＣ−Ｃ’線断面図
【図１４】図６におけるＤ−Ｄ’線断面図
【図１５】同スリーブとスライダーの中を通るケーブルの結線図
【発明を実施するための形態】
【００１２】  以下、添付図面に基づいて、本発明をより詳細に説明する。
図１は、本発明のヘッドホンケーブルの後付け絡み防止スリーブとスライダーを付けたヘッドホンを収納して持ち運ぶ時のヘッドホン全体の様子とスリーブ（１）とスライダー（２ａ、２ｂ）の位置を示す説明図である。ヘッドホンを収納して持ち運ぶ時には、ヘッドホン本体（３）近くにスライダー（２ｂ）を、ヘッドホン本体とスリーブの中間点（７）にスライダー（２ａ）をスライドして、３本のケーブルを揃えて束ねることで絡まりを防止する。
【００１３】  図２は、本発明のヘッドホンケーブルの後付け絡み防止スリーブとスライダーを付けたヘッドホン着装状態のヘッドホン全体の様子とスリーブ（１）とスライダー（２ａ、２ｂ）の位置を示す説明図である。ヘッドホンを使用する時には、スリーブに接する所までスライダーをスライドさせて一体化し、ヘッドホン本体（３）を耳に着装する邪魔にならないようにする。途中までスライドしてケーブルの長さを調節することも可能である。
【００１４】  図３は、本発明のヘッドホンケーブルの後付け絡み防止スリーブとスライダーを付けたヘッドホンを使用する時のスリーブ（１）とスライダー（２ａ、２ｂ）の斜視図である。スリーブとスライダーはぴったり接することで一体化している。図４は、スライダー２こ（２ａ、２ｂ）をスリーブ（１）からケーブルに沿って少しスライドした時の斜視図である。スライダーをスライドすることで３本のケーブルを揃え束ねている。
【００１５】  図５は、ヘッドホンケーブルの後付け絡み防止スリーブとスライダーの平面図、図６は正面図、図７は右側面図、図８は左側面図、図９は背面図、図１０は底面図を示す。図１１は図５におけるＡ−Ａ’線断面図、図１２は図５におけるＢ−Ｂ’線断面図、図１３は図５におけるＣ−Ｃ’線断面図、図１４は図６におけるＤ−Ｄ’線断面図である。スリーブ（１）にはプラグ端子からの本ケーブルが分岐した２本の分枝ケーブルの向きをＵターンさせる空間（１０）を、続けて平行な貫通孔３穴（９ａ、９ｂ、９ｃ）を設ける。スライダー（２ａ、２ｂ）にも平行な貫通孔３穴（９ａ、９ｂ、９ｃ）を設ける。ケーブルをＵターンさせる空間（１０）とケーブルの貫通孔３穴（９ａ、９ｂ、９ｃ）にはそれぞれスリット（８）を設け、ヘッドホンケーブルに後付けできるようにする。
【００１６】  図１５は、図４の状態時での本発明の後付け絡み防止スリーブ（１）とスライダー（２ａ，２ｂ）の中を通るケーブルの結線図である。スリーブではスライダー側面の真ん中の貫通孔（９ｂ）にプラグ端子（６）からの本ケーブル（５）が入り、反対側の空間で耳への分枝ケーブル（４）２本に分岐し向きをＵターンして左右両側の貫通孔（９ａ、９ｃ）を通って、入った時と同じスライダー側の面から出る。スライダーには平行な貫通孔が３穴（９ａ、９ｂ、９ｃ）あり、真ん中の穴（９ｂ）をプラグ端子（６）からの本ケーブルが、左右両側の穴（９ａ、９ｃ）を耳への分枝ケーブル（４）２本が別々に貫通する。穴はケーブルの太さよりも少し太くスライダーがケーブル上を動ける太さである。
【００１７】  スリーブ（１）とスライダー（２ａ，２ｂ）の材質は、貫通孔に設けたスリットに後からケーブルを入れたり柔軟性のあるケーブルに沿って動いたりできるよう樹脂やシリコン等ゴム状弾性体が想定される。ケーブルは初回使用時にスリットから貫通孔に入れ、その後使用する時には貫通孔に入れたまま使用できるようにする。
【００１８】  本発明は上記の例に限定されるものではなく、適宜変更して実施することができる。例えば、スリーブとスライダーを後付けするための構造としては、箱型にして覆う方法等も考えられる。また、後付け絡み防止スリーブ（１）とスライダー（２ａ，２ｂ）の一体化した形は、立方体・三角柱・ハートの形など親しみの持てる形も考えられる。本ケーブル（５）や分枝ケーブル（４）と色を同じにして目立たなくしたり、デサイン性を考えファッションに合わせた色や形にしたりできる。
【符号の説明】
【００１９】  １  後付け絡み防止スリーブ
２ａ  後付け絡み防止スライダー
２ｂ  後付け絡み防止スライダー
３  ヘッドホン本体
４ａ  分枝ケーブル
４ｂ  分枝ケーブル
５  本ケーブル
６  プラグ端子
７  スリーブとヘッドホン本体の中間点
８  スリット
９ａ  貫通孔
９ｂ  貫通孔
９ｃ  貫通孔
１０  空間
【図１】
2014082727.tif 000003
【図２】
2014082727.tif 000004
【図３】
2014082727.tif 000005
【図４】
2014082727.tif 000006
【図５】
2014082727.tif 000007
【図６】
2014082727.tif 000008
【図７】
2014082727.tif 000009
【図８】
2014082727.tif 000010
【図９】
2014082727.tif 000011
【図１０】
2014082727.tif 000012
【図１１】
2014082727.tif 000013
【図１２】
2014082727.tif 000014
【図１３】
2014082727.tif 000015
【図１４】
2014082727.tif 000016
【図１５】
2014082727.tif 000017